(57)【要約】  診断支援装置は、被検者の診断対象の臓器の状態を推定可能な１つ以上の情報を含む身体情報、及び、診断対象の臓器を撮像して得られた内視鏡画像のうちの少なくとも一方に基づき、診断対象の臓器において現れている一の異常症状を特定するための処理を行う異常症状特定部と、内視鏡画像から病変候補領域を抽出するための病変抽出処理として、診断対象の臓器において現れ得る異常症状毎に特化された異なる処理を行う複数の病変抽出部を有して構成された病変抽出機能部と、複数の病変抽出部の中から異常症状特定部により特定された一の異常症状に応じた一の病変抽出部を選択するための処理を行うとともに、一の病変抽出部において病変抽出処理を行わせるための制御を病変抽出機能部に対して行う病変抽出機能制御部と、を有する。
2020188682.tif 000002
【特許請求の範囲】
【請求項１】
被検者の診断対象の臓器の状態を推定可能な１つ以上の情報を含む身体情報、及び、前記診断対象の臓器を撮像して得られた内視鏡画像のうちの少なくとも一方に基づき、前記診断対象の臓器において現れている一の異常症状を特定するための処理を行うように構成された異常症状特定部と、
前記内視鏡画像から病変候補領域を抽出するための病変抽出処理として、前記診断対象の臓器において現れ得る異常症状毎に特化された異なる処理を行う複数の病変抽出部を有して構成された病変抽出機能部と、
前記複数の病変抽出部の中から前記異常症状特定部により特定された前記一の異常症状に応じた一の病変抽出部を選択するための処理を行うとともに、前記一の病変抽出部において前記病変抽出処理を行わせるための制御を前記病変抽出機能部に対して行うように構成された病変抽出機能制御部と、
を有することを特徴とする診断支援装置。
【請求項２】
前記身体情報には、前記診断対象の臓器に係る検査を行って得られた検査結果を示す情報、前記診断対象の臓器における治療歴を示す情報、前記診断対象の臓器に係る薬剤の服用歴を示す情報、及び、前記被検者の自覚症状の有無を示す情報のうちの少なくとも１つが含まれている
ことを特徴とする請求項１に記載の診断支援装置。
【請求項３】
前記異常症状特定部は、さらに、前記一の異常症状における病変リスクの大きさを特定するための処理を行うように構成されている
ことを特徴とする請求項１に記載の診断支援装置。
【請求項４】
前記病変抽出機能制御部は、前記異常症状特定部により特定された前記病変リスクの大きさに応じた感度を設定するための処理を行うとともに、前記一の病変抽出部において前記感度による前記病変抽出処理を行わせるための制御を行うように構成されている
ことを特徴とする請求項３に記載の診断支援装置。
【請求項５】
前記異常症状特定部は、さらに、前記一の異常症状に対する特殊光観察の推奨の是非を特定するための処理を行うように構成されている
ことを特徴とする請求項１に記載の診断支援装置。
【請求項６】
前記病変抽出機能部は、前記病変抽出処理として、前記診断対象の臓器において現れ得る特定の異常症状に特化されていない処理を行う他の病変抽出部をさらに有して構成されており、
前記病変抽出機能制御部は、前記異常症状特定部により前記一の異常症状が特定されなかった場合に、前記他の病変抽出部を選択するための処理を行うとともに、前記他の病変抽出部において前記病変抽出処理を行わせるための制御を前記病変抽出機能部に対して行うように構成されている
ことを特徴とする請求項１に記載の診断支援装置。
【請求項７】
前記異常症状特定部は、さらに、前記内視鏡画像に含まれる前記診断対象の臓器の解剖学的部位に相当する観察対象部位を特定するための処理と、前記観察対象部位に現れている前記一の異常症状に応じた病変リスクの大きさを特定するための処理と、を行うように構成されている
ことを特徴とする請求項１に記載の診断支援装置。
【請求項８】
前記病変抽出機能制御部は、前記異常症状特定部により特定された前記病変リスクの大きさに応じた感度を設定するための処理を行うとともに、前記一の病変抽出部において前記感度による前記病変抽出処理を行わせるための制御を行うように構成されている
ことを特徴とする請求項７に記載の診断支援装置。
【請求項９】
前記内視鏡画像と、前記一の病変抽出部により抽出された前記病変候補領域の位置を示す情報と、を併せて表示装置に表示させるための処理を行うように構成された表示制御部をさらに有する
ことを特徴とする請求項１に記載の診断支援装置。
【請求項１０】
前記一の異常症状に対して前記特殊光観察への切替を推奨することを検出した場合に、前記内視鏡画像と、前記一の病変抽出部により抽出された前記病変候補領域の位置を示す情報と、前記特殊光観察の実施を促す情報と、を併せて表示装置に表示させるための処理を行うように構成された表示制御部をさらに有する
ことを特徴とする請求項５に記載の診断支援装置。
【請求項１１】
前記病変抽出機能制御部は、ユーザの指示に応じて感度を設定するための処理を行うとともに、前記一の病変抽出部において前記感度による前記病変抽出処理を行わせるための制御を行うように構成されている
ことを特徴とする請求項１に記載の診断支援装置。
【請求項１２】
異常症状特定部が、被検者の診断対象の臓器の状態を推定可能な１つ以上の情報を含む身体情報、及び、前記診断対象の臓器を撮像して得られた内視鏡画像のうちの少なくとも一方に基づき、前記診断対象の臓器において現れている一の異常症状を特定するための処理を行い、
病変抽出機能部における複数の病変抽出部が、前記内視鏡画像から病変候補領域を抽出するための病変抽出処理として、前記診断対象の臓器において現れ得る異常症状毎に特化された異なる処理を行い、
病変抽出機能制御部が、前記複数の病変抽出部の中から前記異常症状特定部により特定された前記一の異常症状に応じた一の病変抽出部を選択するための処理を行うとともに、当該一の病変抽出部において前記病変抽出処理を行わせるための制御を前記病変抽出機能部に対して行う
ことを特徴とする診断支援方法。
【請求項１３】
コンピュータに、
被検者の診断対象の臓器の状態を推定可能な１つ以上の情報を含む身体情報、及び、前記診断対象の臓器を撮像して得られた内視鏡画像のうちの少なくとも一方に基づき、前記診断対象の臓器において現れている一の異常症状を特定するための処理と、
前記内視鏡画像から病変候補領域を抽出するための病変抽出処理として前記診断対象の臓器において現れ得る異常症状毎に特化された異なる処理を行う複数の病変抽出部の中から、前記一の異常症状に応じた一の病変抽出部を選択するための処理と、
前記一の病変抽出部において前記病変抽出処理を行わせるための処理と、
を実行させるためのプログラム。
【発明の詳細な説明】
【技術分野】
【０００１】
本発明は、診断支援装置、診断支援方法及びプログラムに関するものである。
【背景技術】
【０００２】
医療分野の内視鏡検査においては、生体組織等の被写体を撮像して得られた画像内に存在する病変部の診断に用いられる情報である診断支援情報を医師等のユーザに提示するための技術として、例えば、コンピュータ診断支援（Ｃｏｍｐｕｔｅｒ−Ａｉｄｅｄ  Ｄｉａｇｎｏｓｉｓ：ＣＡＤ）に係る技術が従来知られている。そして、例えば、日本国特開２０１１−２１２０９４号公報には、ＣＡＤに係る技術を用いて構成されたシステム等が提案されている。【０００３】
具体的には、日本国特開２０１１−２１２０９４号公報には、種類の異なる複数の病変をそれぞれ抽出可能な複数の病変抽出部を備えたシステムにおいて、患者情報に基づいて診断情報を取得し、当該診断情報における確定診断の有無の判別結果に応じた一の病変抽出部を当該複数の病変抽出部の中から選択し、当該一の病変抽出部により抽出された病変を表示する構成が開示されている。【０００４】
しかし、日本国特開２０１１−２１２０９４号公報には、診断対象の臓器における病変の抽出精度に対して影響を及ぼす要因を考慮しつつ、複数の病変抽出部の中から一の病変抽出部を選択するための手法について特に開示等されていない。そのため、日本国特開２０１１−２１２０９４号公報に開示された構成によれば、例えば、診断対象の臓器が被検者の病歴等に応じた組織学的な影響を受けることにより当該診断対象の臓器において病変の検出を妨げる要因が発生した場合に、当該診断対象の臓器における病変の抽出精度が低下してしまう、という課題が存在している。【０００５】
本発明は、前述した事情に鑑みてなされたものであり、診断対象の臓器における病変の抽出精度を確保することが可能な診断支援装置、診断支援方法及びプログラムを提供することを目的としている。
【発明の開示】
【課題を解決するための手段】
【０００６】
本発明の一態様の診断支援装置は、被検者の診断対象の臓器の状態を推定可能な１つ以上の情報を含む身体情報、及び、前記診断対象の臓器を撮像して得られた内視鏡画像のうちの少なくとも一方に基づき、前記診断対象の臓器において現れている一の異常症状を特定するための処理を行うように構成された異常症状特定部と、前記内視鏡画像から病変候補領域を抽出するための病変抽出処理として、前記診断対象の臓器において現れ得る異常症状毎に特化された異なる処理を行う複数の病変抽出部を有して構成された病変抽出機能部と、前記複数の病変抽出部の中から前記異常症状特定部により特定された前記一の異常症状に応じた一の病変抽出部を選択するための処理を行うとともに、前記一の病変抽出部において前記病変抽出処理を行わせるための制御を前記病変抽出機能部に対して行うように構成された病変抽出機能制御部と、を有する。【０００７】
本発明の一態様の診断支援方法は、異常症状特定部が、被検者の診断対象の臓器の状態を推定可能な１つ以上の情報を含む身体情報、及び、前記診断対象の臓器を撮像して得られた内視鏡画像のうちの少なくとも一方に基づき、前記診断対象の臓器において現れている一の異常症状を特定するための処理を行い、病変抽出機能部における複数の病変抽出部が、前記内視鏡画像から病変候補領域を抽出するための病変抽出処理として、前記診断対象の臓器において現れ得る異常症状毎に特化された異なる処理を行い、病変抽出機能制御部が、前記複数の病変抽出部の中から前記異常症状特定部により特定された前記一の異常症状に応じた一の病変抽出部を選択するための処理を行うとともに、当該一の病変抽出部において前記病変抽出処理を行わせるための制御を前記病変抽出機能部に対して行う。【０００８】
本発明の一態様のプログラムは、コンピュータに、被検者の診断対象の臓器の状態を推定可能な１つ以上の情報を含む身体情報、及び、前記診断対象の臓器を撮像して得られた内視鏡画像のうちの少なくとも一方に基づき、前記診断対象の臓器において現れている一の異常症状を特定するための処理と、前記内視鏡画像から病変候補領域を抽出するための病変抽出処理として前記診断対象の臓器において現れ得る異常症状毎に特化された異なる処理を行う複数の病変抽出部の中から、前記一の異常症状に応じた一の病変抽出部を選択するための処理と、前記一の病変抽出部において前記病変抽出処理を行わせるための処理と、を実行させる。
【図面の簡単な説明】
【０００９】
【図１】実施形態に係る診断支援装置を含む内視鏡システムの要部の構成を示す図。
【図２】第１の実施形態に係る診断支援装置の構成の具体例を説明するためのブロック図。
【図３】第１の実施形態に係る診断支援装置の処理において用いられるテーブルデータの一例を示す図。
【図４】第１の実施形態に係る診断支援装置の処理に応じて表示される表示画像の一例を示す図。
【図５】第１の実施形態の変形例に係る診断支援装置の処理において用いられるテーブルデータの一例を示す図。
【図６】第１の実施形態の変形例に係る診断支援装置の処理に応じて表示される表示画像の一例を示す図。
【図７】第２の実施形態に係る診断支援装置の構成の具体例を説明するためのブロック図。
【図８】第２の実施形態に係る診断支援装置の処理に応じて表示される表示画像の一例を示す図。
【図９】第３の実施形態に係る診断支援装置の構成の具体例を説明するためのブロック図。
【図１０】第３の実施形態に係る診断支援装置の処理において用いられるテーブルデータの一例を示す図。
【発明を実施するための最良の形態】
【００１０】
以下、本発明の実施形態について、図面を参照しつつ説明を行う。【００１１】
（第１の実施形態）
図１から図６は、第１の実施形態に係るものである。【００１２】
内視鏡システム１は、図１に示すように、内視鏡１１と、本体装置１２と、診断支援装置１３と、表示装置１４と、を有して構成されている。図１は、実施形態に係る診断支援装置を含む内視鏡システムの要部の構成を示す図である。【００１３】
内視鏡１１は、例えば、被検体内に挿入可能な細長形状の挿入部（不図示）と、当該挿入部の基端部に設けられた操作部（不図示）と、を具備して構成されている。また、内視鏡１１は、例えば、操作部から延びるユニバーサルケーブル（不図示）を介し、本体装置１２に対して着脱自在に接続されるように構成されている。また、内視鏡１１の内部には、例えば、本体装置１２から供給される照明光を導光して挿入部の先端部から出射するための光ファイバ等の導光部材（不図示）が設けられている。また、内視鏡１１の挿入部の先端部には、撮像部１１１が設けられている。【００１４】
撮像部１１１は、例えば、ＣＣＤイメージセンサまたはＣＭＯＳイメージセンサのような撮像素子を具備して構成されている。また、撮像部１１１は、内視鏡１１の挿入部の先端部を経て出射された照明光により照明された被写体からの戻り光を撮像し、当該撮像した戻り光に応じた撮像信号を生成して本体装置１２へ出力するように構成されている。【００１５】
本体装置１２は、内視鏡１１及び診断支援装置１３のそれぞれに対して着脱自在に接続されるように構成されている。また、本体装置１２は、例えば、図１に示すように、光源部１２１と、画像生成部１２２と、入力Ｉ／Ｆ（インタフェース）１２３と、制御部１２４と、記憶媒体１２５と、を有して構成されている。【００１６】
光源部１２１は、例えば、ＬＥＤ等のような１つ以上の発光素子を具備して構成されている。具体的には、光源部１２１は、例えば、青色光（以降、Ｂ光とも称する）を発生する青色ＬＥＤと、緑色光（以降、Ｇ光とも称する）を発生する緑色ＬＥＤと、赤色光（以降、Ｒ光とも称する）を発生する赤色ＬＥＤと、を有して構成されている。また、光源部１２１は、例えば、Ｂ光及びＧ光の波長帯域を光学フィルタ等で制限することにより、４１５ｎｍ付近にピーク波長を有する狭帯域光に相当するＢＮ光と、５４０ｎｍ付近にピーク波長を有する狭帯域光に相当するＧＮ光と、を発生することができるように構成されている。また、光源部１２１は、制御部１２４の制御に応じた照明光を発生して内視鏡１１に供給することができるように構成されている。【００１７】
画像生成部１２２は、内視鏡１１から出力される撮像信号に基づいて内視鏡画像を生成し、当該生成した内視鏡画像を診断支援装置１３へ１フレームずつ順次出力することができるように構成されている。【００１８】
入力Ｉ／Ｆ１２３は、ユーザの操作に応じた指示及び情報等を入力することが可能な１つ以上のスイッチ及び／またはボタンを具備して構成されている。具体的には、入力Ｉ／Ｆ１２３は、例えば、内視鏡検査を受ける被検者の診断対象の臓器の状態を推定可能な１つ以上の情報を含む身体情報を入力することができるように構成されている。また、入力Ｉ／Ｆ１２３には、内視鏡１１による観察を行う際の観察モードを、Ｂ光、Ｇ光及びＲ光が照明光として照射された被写体を観察する白色光観察モードと、ＢＮ光及びＧＮ光が照明光として照射された被写体を観察する特殊光観察（狭帯域光観察）モードと、のうちのいずれかに設定するための指示を行うことが可能な観察モード切替スイッチが設けられている。また、入力Ｉ／Ｆ１２３には、現在観察中の内視鏡画像から異常所見の検出を行う旨の指示（以降、異常所見検出指示と略記する）を行うことが可能な異常所見検出指示スイッチが設けられている。なお、前述の観察モード切替スイッチ及び／または異常所見検出指示スイッチは、本体装置１２の入力Ｉ／Ｆ１２３に設けられているものに限らず、例えば、内視鏡１１の操作部に設けられていてもよい。【００１９】
制御部１２４は、入力Ｉ／Ｆ１２３において入力された指示に基づき、内視鏡１１及び本体装置１２の各部の動作に係る制御を行うように構成されている。また、制御部１２４は、入力Ｉ／Ｆ１２３において入力された指示を診断支援装置１３へ出力するための動作を行うことができるように構成されている。また、制御部１２４は、入力Ｉ／Ｆ１２３において入力された身体情報等の情報を診断支援装置１３へ出力するための動作を行うことができるように構成されている。【００２０】
本実施形態においては、本体装置１２の画像生成部１２２及び制御部１２４が、個々の電子回路として構成されていてもよく、または、ＦＰＧＡ（Ｆｉｅｌｄ  Ｐｒｏｇｒａｍｍａｂｌｅ  Ｇａｔｅ  Ａｒｒａｙ）等の集積回路における回路ブロックとして構成されていてもよい。また、本実施形態においては、例えば、本体装置１２が１つ以上のプロセッサ（ＣＰＵ等）を具備して構成されていてもよい。また、本実施形態に係る構成を適宜変形することにより、例えば、コンピュータが、画像生成部１２２及び制御部１２４の機能を実行させるためのプログラムをメモリ等の記憶媒体１２５から読み込むとともに、当該読み込んだプログラムに応じた動作を行うようにしてもよい。【００２１】
診断支援装置１３は、例えば、１つ以上のプロセッサ１３１と、記憶媒体１３２と、を有するコンピュータとして構成されている。また、診断支援装置１３は、本体装置１２及び表示装置１４のそれぞれに対して着脱自在に接続されるように構成されている。また、診断支援装置１３は、本体装置１２から出力される指示及び／または情報に基づき、本体装置１２から出力される内視鏡画像から病変候補領域を抽出するための病変抽出処理を行うように構成されている。なお、前述の病変候補領域は、例えば、良性腫瘍または悪性腫瘍のような異常所見を含む領域として抽出されるものとする。また、診断支援装置１３は、前述の病変抽出処理により抽出した病変候補領域の位置を示す視覚情報を内視鏡画像に対して付加することにより表示画像を生成し、当該生成した表示画像を表示装置１４へ出力するように構成されている。また、診断支援装置１３は、例えば、図２に示すように、異常症状特定部１３Ａと、病変抽出機能制御部１３Ｂと、病変抽出機能部１３Ｃと、表示制御部１３Ｄと、を有して構成されている。図２は、第１の実施形態に係る診断支援装置の構成の具体例を説明するためのブロック図である。【００２２】
異常症状特定部１３Ａは、本体装置１２から出力される身体情報に基づき、内視鏡検査を受ける被検者の診断対象の臓器において現れている一の異常症状を特定するための処理を行うように構成されている。また、異常症状特定部１３Ａは、前述の処理により特定した一の異常症状を示す情報を病変抽出機能制御部１３Ｂへ出力するように構成されている。【００２３】
病変抽出機能制御部１３Ｂは、異常症状特定部１３Ａから出力される情報に基づき、病変抽出機能部１３Ｃに含まれる複数の病変抽出部の中から当該情報に含まれる一の異常症状に応じた一の病変抽出部を選択するための処理を行うように構成されている。また、病変抽出機能制御部１３Ｂは、前述の処理により選択した一の病変抽出部において病変抽出処理を行わせるための制御を行うように構成されている。【００２４】
病変抽出機能部１３Ｃは、複数の病変抽出部ＬＥＳと、病変抽出部ＬＥＳＹと、を有して構成されている。【００２５】
複数の病変抽出部ＬＥＳは、内視鏡検査を受ける被検者の診断対象の臓器を撮像して得られた内視鏡画像から病変候補領域を抽出するための病変抽出処理として、当該診断対象の臓器において現れ得る異常症状毎に特化された異なる処理を行うように構成されている。【００２６】
病変抽出部ＬＥＳＹは、内視鏡検査を受ける被検者の診断対象の臓器を撮像して得られた内視鏡画像から病変候補領域を抽出するための病変抽出処理として、当該診断対象の臓器において現れ得る特定の異常症状に特化されていない処理を行うように構成されている。【００２７】
病変抽出機能部１３Ｃは、病変抽出機能制御部１３Ｂの制御に応じ、複数の病変抽出部ＬＥＳの中から選択された病変抽出部ＬＥＳＸ、または、当該病変抽出部ＬＥＳＸの代わりに選択された病変抽出部ＬＥＳＹのいずれかにおいて、本体装置１２から出力される内視鏡画像から病変候補領域を抽出するための処理に相当する病変抽出処理を行うように構成されている。また、病変抽出機能部１３Ｃは、病変抽出部ＬＥＳＸまたは病変抽出部ＬＥＳＹの病変抽出処理により抽出された病変候補領域の位置を特定可能な情報を表示制御部１３Ｄへ出力するように構成されている。【００２８】
表示制御部１３Ｄは、病変抽出機能部１３Ｃから出力される情報に基づき、本体装置１２から出力される内視鏡画像における病変候補領域の位置を特定するとともに、当該特定した病変候補領域の位置を示す視覚情報を生成するための処理を行うように構成されている。また、表示制御部１３Ｄは、前述の視覚情報を内視鏡画像に付加することにより表示画像を生成するとともに、当該生成した表示画像を表示装置１４へ出力するための処理を行うように構成されている。【００２９】
本実施形態においては、診断支援装置１３の少なくとも一部の機能が、プロセッサ１３１により実現されるようにすればよい。また、本実施形態においては、診断支援装置１３の少なくとも一部が、個々の電子回路として構成されていてもよく、または、ＦＰＧＡ（Ｆｉｅｌｄ  Ｐｒｏｇｒａｍｍａｂｌｅ  Ｇａｔｅ  Ａｒｒａｙ）等の集積回路における回路ブロックとして構成されていてもよい。また、本実施形態に係る構成を適宜変形することにより、例えば、コンピュータが、診断支援装置１３の少なくとも一部の機能を実行させるためのプログラムをメモリ等の記憶媒体１３２から読み込むとともに、当該読み込んだプログラムに応じた動作を行うようにしてもよい。【００３０】
表示装置１４は、診断支援装置１３に対して着脱自在に接続されるように構成されている。また、表示装置１４は、モニタ等を具備し、診断支援装置１３から出力される表示画像を表示することができるように構成されている。【００３１】
続いて、本実施形態の作用について説明する。なお、以降においては、内視鏡検査を受ける被検者の診断対象の臓器が胃である場合を例に挙げて説明する。また、以降においては、内視鏡１１による観察を行う際の観察モードが白色光観察モードに予め設定されているものとして説明する。【００３２】
術者等のユーザは、内視鏡システム１の各部を接続して電源を投入した後、入力Ｉ／Ｆ１２３を操作することにより、内視鏡検査を受ける被検者の身体情報として、当該被検者の胃の状態を推定可能な１つ以上の情報を入力する。【００３３】
具体的には、ユーザは、内視鏡検査を受ける被検者の身体情報として、例えば、ピロリ菌（ヘリコバクター・ピロリ）検査の検査結果、ペプシノゲン検査の検査結果、ピロリ菌の除菌治療歴の有無、ＣＤＨ１遺伝子の検査結果、切除治療歴の有無、ＨＥＲ２遺伝子の検査結果、ＥＢウイルス検査の検査結果、ＮＳＡＩＤｓ（非ステロイド性抗炎症薬）の服用の有無、及び、被検者の自覚症状の有無等の情報を入力する。【００３４】
すなわち、本実施形態によれば、内視鏡検査を受ける被検者の身体情報として、診断対象の臓器に係る検査を行って得られた検査結果を示す情報、当該診断対象の臓器における治療歴を示す情報、当該診断対象の臓器に係る薬剤の服用歴を示す情報、及び、当該被検者の自覚症状の有無を示す情報のうちの少なくとも１つが入力される。【００３５】
ユーザは、内視鏡検査を受ける被検者の身体情報を入力した後、当該被検者の内部へ内視鏡１１の挿入部を挿入するとともに、当該被検者の胃の内部における所望の被写体を撮像可能な位置に当該挿入部の先端部を配置する。【００３６】
制御部１２４は、内視鏡検査を受ける被検者の身体情報の入力を完了するための指示が入力Ｉ／Ｆ１２３において行われたことを検出した際に、当該身体情報を診断支援装置１３へ出力するための動作を行う。【００３７】
制御部１２４は、本体装置１２の電源が投入された際に、Ｂ光、Ｇ光及びＲ光を照明光として順次または同時に発生させるための制御を光源部１２１に対して行う。そして、このような制御部１２４の制御に応じ、光源部１２１から内視鏡１１へ照明光が供給され、当該照明光により照明された被写体からの戻り光が撮像部１１１において撮像され、撮像部１１１から本体装置１２へ出力される撮像信号に応じた内視鏡画像ＥＧが画像生成部１２２において生成され、当該生成された内視鏡画像ＥＧが診断支援装置１３へ１フレームずつ順次出力される。【００３８】
異常症状特定部１３Ａは、本体装置１２から出力される身体情報に基づき、内視鏡検査を受ける被検者の胃において現れている一の異常症状を特定するための処理を行う。また、異常症状特定部１３Ａは、前述の処理により特定した一の異常症状を示す情報を病変抽出機能制御部１３Ｂへ出力する。【００３９】
具体的には、異常症状特定部１３Ａは、例えば、図３に示すようなテーブルデータＴＤＡを記憶媒体１３２から読み込むとともに、当該読み込んだテーブルデータＴＤＡと、本体装置１２から出力される身体情報と、を照合することにより、内視鏡検査を受ける被検者の胃において現れている一の異常症状を特定する。図３は、第１の実施形態に係る診断支援装置の処理において用いられるテーブルデータの一例を示す図である。【００４０】
図３のテーブルデータＴＤＡの「身体情報」欄には、本体装置１２から出力される身体情報（入力Ｉ／Ｆ１２３において入力された情報）に対応する複数の項目が含まれている。また、図３のテーブルデータＴＤＡの「異常症状」欄には、「身体情報」欄の項目各々に対応する胃の症状を示す複数の項目が含まれている。【００４１】
図３のテーブルデータＴＤＡによれば、例えば、本体装置１２から出力される身体情報にピロリ菌検査が陽性である旨を示す検査結果が含まれており、かつ、当該身体情報にペプシノゲン検査の検査結果が含まれていない場合に、内視鏡検査を受ける被検者の胃において現れている異常症状が細菌感染であることが特定される。【００４２】
図３のテーブルデータＴＤＡによれば、例えば、本体装置１２から出力される身体情報にピロリ菌検査が陽性である旨を示す検査結果が含まれており、かつ、当該身体情報にペプシノゲン検査が陰性である旨を示す検査結果が含まれている場合に、内視鏡検査を受ける被検者の胃において現れている異常症状が潰瘍であることが特定される。【００４３】
図３のテーブルデータＴＤＡによれば、例えば、本体装置１２から出力される身体情報にピロリ菌検査が陽性である旨を示す検査結果が含まれており、かつ、当該身体情報にペプシノゲン検査が陽性である旨を示す検査結果が含まれている場合に、内視鏡検査を受ける被検者の胃において現れている異常症状が萎縮性胃炎であることが特定される。【００４４】
図３のテーブルデータＴＤＡによれば、例えば、本体装置１２から出力される身体情報にピロリ菌検査が陰性である旨を示す検査結果が含まれており、かつ、当該身体情報にペプシノゲン検査が陽性である旨を示す検査結果が含まれている場合に、内視鏡検査を受ける被検者の胃において現れている異常症状が萎縮性胃炎であることが特定される。【００４５】
図３のテーブルデータＴＤＡによれば、例えば、本体装置１２から出力される身体情報にピロリ菌の除菌治療が完了している旨を示す情報が含まれている場合に、内視鏡検査を受ける被検者の胃において現れている異常症状が除菌治療済であることが特定される。【００４６】
図３のテーブルデータＴＤＡによれば、例えば、本体装置１２から出力される身体情報にＣＤＨ１遺伝子に変異がある旨を示す検査結果が含まれている場合に、内視鏡検査を受ける被検者の胃において現れている異常症状がびまん性胃がんであることが特定される。【００４７】
図３のテーブルデータＴＤＡによれば、例えば、本体装置１２から出力される身体情報に切除治療済である旨を示す情報が含まれており、かつ、ＨＥＲ２遺伝子に変異がある旨を示す検査結果が含まれている場合に、内視鏡検査を受ける被検者の胃において現れている異常症状が切除治療済であることが特定される。【００４８】
図３のテーブルデータＴＤＡによれば、例えば、本体装置１２から出力される身体情報にＥＢウイルス検査が陽性である旨を示す検査結果が含まれている場合に、内視鏡検査を受ける被検者の胃において現れている異常症状が萎縮性胃炎であることが特定される。【００４９】
図３のテーブルデータＴＤＡによれば、例えば、本体装置１２から出力される身体情報にＮＳＡＩＤｓを服用中である旨を示す情報が含まれている場合に、内視鏡検査を受ける被検者の胃において現れている異常症状が潰瘍であることが特定される。【００５０】
図３のテーブルデータＴＤＡによれば、例えば、本体装置１２から出力される身体情報に被検者の自覚症状がある旨を示す情報が含まれている場合に、内視鏡検査を受ける当該被検者の胃において現れている異常症状が潰瘍であることが特定される。なお、このような場合における自覚症状としては、例えば、みぞおち付近の痛み、胃酸過多、黒い便、及び、貧血等が挙げられる。【００５１】
本実施形態の異常症状特定部１３Ａは、例えば、本体装置１２から出力される身体情報に対応する異常症状がテーブルデータＴＤＡに含まれていない等の理由により、内視鏡検査を受ける被検者の胃において現れている一の異常症状を特定することができなかった場合に、当該被検者の胃において現れている異常症状の有無が不明である旨を示す情報を病変抽出機能制御部１３Ｂへ出力する。【００５２】
本実施形態の異常症状特定部１３Ａは、例えば、図３のテーブルデータＴＤＡに応じた複数の異常症状を同時に特定した場合に、当該複数の異常症状の中で最も優先度の高い一の異常症状を示す情報を病変抽出機能制御部１３Ｂへ出力する。なお、図３のテーブルデータＴＤＡに含まれる各異常症状の優先度は、例えば、後述のリスク値の大きさ等に応じた所定の順番に設定されていればよい。【００５３】
病変抽出機能制御部１３Ｂは、異常症状特定部１３Ａから出力される情報に基づき、病変抽出機能部１３Ｃに含まれる複数の病変抽出部の中から当該情報に含まれる一の異常症状に応じた一の病変抽出部を選択するための処理を行うとともに、当該一の病変抽出部において病変抽出処理を行わせるための制御を行う。【００５４】
具体的には、病変抽出機能制御部１３Ｂは、例えば、異常症状特定部１３Ａから出力される情報に異常症状が細菌感染である旨を示す情報が含まれている場合に、病変抽出機能部１３Ｃに含まれる複数の病変抽出部ＬＥＳの中からピロリ菌感染時における病変抽出に特化された病変抽出部ＬＥＳＡを選択するための処理を行うとともに、当該病変抽出部ＬＥＳＡにおいて病変抽出処理を行わせるための制御を行う。【００５５】
また、病変抽出機能制御部１３Ｂは、例えば、異常症状特定部１３Ａから出力される情報に異常症状が潰瘍である旨を示す情報が含まれている場合に、病変抽出機能部１３Ｃに含まれる複数の病変抽出部ＬＥＳの中から潰瘍発現時における病変抽出に特化された病変抽出部ＬＥＳＢを選択するための処理を行うとともに、当該病変抽出部ＬＥＳＢにおいて病変抽出処理を行わせるための制御を行う。【００５６】
また、病変抽出機能制御部１３Ｂは、例えば、異常症状特定部１３Ａから出力される情報に異常症状が萎縮性胃炎である旨を示す情報が含まれている場合に、病変抽出機能部１３Ｃに含まれる複数の病変抽出部ＬＥＳの中から萎縮性胃炎発現時における病変抽出に特化された病変抽出部ＬＥＳＣを選択するための処理を行うとともに、当該病変抽出部ＬＥＳＣにおいて病変抽出処理を行わせるための制御を行う。【００５７】
また、病変抽出機能制御部１３Ｂは、例えば、異常症状特定部１３Ａから出力される情報に異常症状が除菌治療済である旨を示す情報が含まれている場合に、病変抽出機能部１３Ｃに含まれる複数の病変抽出部ＬＥＳの中からピロリ菌除菌後における病変抽出に特化された病変抽出部ＬＥＳＤを選択するための処理を行うとともに、当該病変抽出部ＬＥＳＤにおいて病変抽出処理を行わせるための制御を行う。【００５８】
また、病変抽出機能制御部１３Ｂは、例えば、異常症状特定部１３Ａから出力される情報に異常症状がびまん性胃がんである旨を示す情報が含まれている場合に、病変抽出機能部１３Ｃに含まれる複数の病変抽出部ＬＥＳの中からびまん性胃がん発現時における病変抽出に特化された病変抽出部ＬＥＳＥを選択するための処理を行うとともに、当該病変抽出部ＬＥＳＥにおいて病変抽出処理を行わせるための制御を行う。【００５９】
また、病変抽出機能制御部１３Ｂは、例えば、異常症状特定部１３Ａから出力される情報に異常症状が切除治療済である旨を示す情報が含まれている場合に、病変抽出機能部１３Ｃに含まれる複数の病変抽出部ＬＥＳの中から胃切除後における病変抽出に特化された病変抽出部ＬＥＳＦを選択するための処理を行うとともに、当該病変抽出部ＬＥＳＦにおいて病変抽出処理を行わせるための制御を行う。【００６０】
また、病変抽出機能制御部１３Ｂは、例えば、異常症状特定部１３Ａから出力される情報に異常症状の有無が不明である旨を示す情報が含まれている場合（異常症状特定部３３Ａにより異常症状が特定されなかった場合）に、病変抽出機能部１３Ｃに含まれる複数の病変抽出部ＬＥＳの中から一の病変抽出部ＬＥＳＸを選択する代わりに、胃において現れ得る特定の異常症状に特化されていない病変抽出処理を行う病変抽出部ＬＥＳＹを選択するための処理を行うとともに、当該病変抽出部ＬＥＳＹにおいて病変抽出処理を行わせるための制御を行う。【００６１】
すなわち、以上に述べた具体例においては、６つの病変抽出部ＬＥＳＡ、ＬＥＳＢ、ＬＥＳＣ、ＬＥＳＤ、ＬＥＳＥ及びＬＥＳＦのうちのいずれか１つが病変抽出部ＬＥＳＸに相当する。【００６２】
病変抽出機能部１３Ｃは、病変抽出機能制御部１３Ｂの制御に応じ、病変抽出部ＬＥＳＸまたは病変抽出部ＬＥＳＹのいずれかにおいて、本体装置１２から出力される内視鏡画像ＥＧから病変候補領域ＬＡを抽出する病変抽出処理を行うとともに、当該病変抽出処理により抽出された病変候補領域ＬＡの位置を特定可能な情報を表示制御部１３Ｄへ出力する。【００６３】
表示制御部１３Ｄは、病変抽出機能部１３Ｃから出力される情報に基づき、本体装置１２から出力される内視鏡画像ＥＧにおける病変候補領域ＬＡの位置を特定するとともに、当該特定した病変候補領域ＬＡの周囲を囲む矩形の枠に相当するマーカＭＧを生成するための処理を行う。また、表示制御部１３Ｄは、前述のマーカＭＧを内視鏡画像ＥＧに付加することにより表示画像を生成し、当該生成した表示画像を表示装置１４へ出力するための処理を行う。すなわち、本実施形態の表示制御部１３Ｄは、内視鏡検査を受ける被検者の診断対象の臓器を撮像して得られた内視鏡画像ＥＧと、病変抽出部ＬＥＳＸまたは病変抽出部ＬＥＳＹにより抽出された病変候補領域ＬＡの位置を示す情報と、を併せて表示装置１４に表示させるための処理を行う。そして、このような表示制御部１３Ｄの処理によれば、例えば、図４に示すような表示画像ＤＧＡが表示装置１４に表示される。図４は、第１の実施形態に係る診断支援装置の処理に応じて表示される表示画像の一例を示す図である。【００６４】
ところで、例えば、胃の内部を撮像して得られた内視鏡画像から病変候補領域を抽出する処理においては、当該病変候補領域の抽出精度が、内視鏡検査を受ける被検者の胃粘膜の状態に応じて変化する傾向がある。具体的には、例えば、ピロリ菌の除菌治療が行われた後の胃粘膜においては、当該除菌治療が行われる前の胃粘膜に比べて病変のサイズが小さくなる及び病変の色調が目立たなくなる等の要因により、内視鏡画像から病変候補領域を抽出する処理における抽出精度が、当該除菌治療が行われる前よりも低下する傾向がある。【００６５】
これに対し、本実施形態によれば、内視鏡検査を受ける被検者の胃（診断対象の臓器）の状態を推定可能な１つ以上の情報を含む身体情報が異常症状特定部１３Ａに入力され、当該身体情報に応じた一の異常症状が異常症状特定部１３Ａにより特定され、複数の病変抽出部の中から当該一の異常症状に最も適した一の病変抽出部が病変抽出機能制御部１３Ｂにより選択されるとともに、当該一の病変抽出部において内視鏡画像から病変候補領域を抽出する処理が病変抽出機能部１３Ｃにより行われるようにしている。そのため、本実施形態によれば、診断対象の臓器における病変の抽出精度を確保することができる。【００６６】
なお、本実施形態によれば、例えば、病変抽出機能制御部１３Ｂが、入力Ｉ／Ｆ１２３において行われた指示（ユーザの指示）に応じて感度を設定するための処理を行うとともに、病変抽出部ＬＥＳＸまたは病変抽出部ＬＥＳＹにおいて当該感度による病変抽出処理を行わせるための制御を行うように構成されていてもよい。そして、このような病変抽出機能制御部１３Ｂの構成によれば、例えば、病変抽出部ＬＥＳＸまたは病変抽出部ＬＥＳＹにおいて行われる病変抽出処理の感度が相対的に高い感度に設定された場合に、内視鏡画像ＥＧから抽出される病変候補領域の抽出頻度を相対的に高めることができる。また、前述のような病変抽出機能制御部１３Ｂの構成によれば、例えば、病変抽出部ＬＥＳＸまたは病変抽出部ＬＥＳＹにおいて行われる病変抽出処理の感度が相対的に低い感度に設定された場合に、内視鏡画像ＥＧから抽出される病変候補領域の蓋然性（当該病変候補領域に実際に病変が含まれている可能性）を相対的に高めることができる。なお、本実施形態においては、病変抽出処理の感度の大きさが、例えば、内視鏡画像ＥＧに含まれる病変候補領域を検出する際に当該内視鏡画像ＥＧから取得した画素値等のパラメータに対して適用される閾値の大きさに反比例するような値として設定されるものとする。【００６７】
また、本実施形態によれば、病変抽出部ＬＥＳＸまたは病変抽出部ＬＥＳＹにおける病変抽出処理が、内視鏡検査中に得られた（本体装置１２から出力される）内視鏡画像に対して行われるものに限らず、例えば、図示しない録画装置等に予め記録されている内視鏡検査の映像から得られた内視鏡画像に対して行われるものであってもよい。【００６８】
また、本実施形態に係る構成を適宜変形することにより、例えば、内視鏡検査を受ける被検者の診断対象の臓器が胃とは異なる臓器である場合に対応させるようにしてもよい。【００６９】
また、本実施形態によれば、内視鏡検査を受ける被検者の身体情報として、例えば、当該被検者の食習慣、当該被検者の喫煙歴、当該被検者の年齢、当該被検者の性別、当該被検者の人種、及び、当該被検者の家族におけるがんの家族歴のうちの少なくともいずれか１つを示す情報がさらに含まれていてもよい。【００７０】
また、本実施形態によれば、図３に示したテーブルデータＴＤＡの代わりに、例えば、図５に示すようなテーブルデータＴＤＢが記憶媒体１３２に格納されている場合に、当該テーブルデータＴＤＢに応じた動作が診断支援装置１３の各部で行われるようにしてもよい。このような本実施形態の変形例に係る動作等について、以下に説明する。なお、以降においては、簡単のため、既述の動作等を適用可能な部分に関する具体的な説明を適宜省略するものとする。図５は、第１の実施形態の変形例に係る診断支援装置の処理において用いられるテーブルデータの一例を示す図である。【００７１】
異常症状特定部１３Ａは、本体装置１２から出力される身体情報に基づき、内視鏡検査を受ける被検者の胃において現れている一の異常症状と、当該一の異常症状における病変リスクの大きさと、当該一の異常症状に対する特殊光観察の推奨の是非と、をそれぞれ特定するための処理を行う。また、異常症状特定部１３Ａは、前述の処理により特定した一の異常症状と、前述の処理により特定した病変リスクの大きさと、前述の処理により特定した当該一の異常症状に対する特殊光観察の推奨の是非と、を関連付けた情報を病変抽出機能制御部１３Ｂへ出力する。【００７２】
具体的には、異常症状特定部１３Ａは、例えば、図５のテーブルデータＴＤＢを記憶媒体１３２から読み込むとともに、当該読み込んだテーブルデータＴＤＢと、本体装置１２から出力される身体情報と、を照合することにより、内視鏡検査を受ける被検者の胃において現れている一の異常症状と、当該一の異常症状に応じて予め設定されているリスク値と、当該一の異常症状に対する特殊光観察の推奨の是非と、をそれぞれ特定する。【００７３】
図５のテーブルデータＴＤＢの「身体情報」欄には、本体装置１２から出力される身体情報（入力Ｉ／Ｆ１２３において入力された情報）に対応する複数の項目が含まれている。また、図５のテーブルデータＴＤＢの「異常症状」欄には、「身体情報」欄の各々の項目に対応する胃の症状を示す複数の項目が含まれている。また、図５のテーブルデータＴＤＢの「病変リスク」欄には、「異常症状」欄における胃の症状毎の病変の発生頻度の高さに応じて設定された値に相当するリスク値を示す複数の項目が含まれている。また、図５のテーブルデータＴＤＢの「特殊光観察」欄には、「異常症状」欄における胃の症状各々に対する特殊光観察（狭帯域光観察）の推奨の是非を示す複数の項目が含まれている。なお、図５のテーブルデータＴＤＢの「病変リスク」欄における各項目の値は、０より大きくかつ１００より小さい相対値として設定されているものとする。【００７４】
図５のテーブルデータＴＤＢによれば、例えば、本体装置１２から出力される身体情報にピロリ菌検査が陽性である旨を示す検査結果が含まれており、かつ、当該身体情報にペプシノゲン検査の検査結果が含まれていない場合に、内視鏡検査を受ける被検者の胃において現れている異常症状が細菌感染であること、当該異常症状に対応するリスク値が１０であること、及び、当該異常症状に対して特殊光観察への切替を推奨しないことがそれぞれ特定される。【００７５】
図５のテーブルデータＴＤＢによれば、例えば、本体装置１２から出力される身体情報にピロリ菌検査が陽性である旨を示す検査結果が含まれており、かつ、当該身体情報にペプシノゲン検査が陰性である旨を示す検査結果が含まれている場合に、内視鏡検査を受ける被検者の胃において現れている異常症状が潰瘍であること、当該異常症状に対応するリスク値が５であること、及び、当該異常症状に対して特殊光観察への切替を推奨しないことがそれぞれ特定される。【００７６】
図５のテーブルデータＴＤＢによれば、例えば、本体装置１２から出力される身体情報にピロリ菌検査が陽性である旨を示す検査結果が含まれており、かつ、当該身体情報にペプシノゲン検査が陽性である旨を示す検査結果が含まれている場合に、内視鏡検査を受ける被検者の胃において現れている異常症状が萎縮性胃炎であること、当該異常症状に対応するリスク値が２０であること、及び、当該異常症状に対して特殊光観察への切替を推奨しないことがそれぞれ特定される。【００７７】
図５のテーブルデータＴＤＢによれば、例えば、本体装置１２から出力される身体情報にピロリ菌検査が陰性である旨を示す検査結果が含まれており、かつ、当該身体情報にペプシノゲン検査が陽性である旨を示す検査結果が含まれている場合に、内視鏡検査を受ける被検者の胃において現れている異常症状が萎縮性胃炎であること、当該異常症状に対応するリスク値が３０であること、及び、当該異常症状に対して特殊光観察への切替を推奨しないことがそれぞれ特定される。【００７８】
図５のテーブルデータＴＤＢによれば、例えば、本体装置１２から出力される身体情報にピロリ菌の除菌治療が完了している旨を示す情報が含まれている場合に、内視鏡検査を受ける被検者の胃において現れている異常症状が除菌治療済であること、当該異常症状に対応するリスク値が５０であること、及び、当該異常症状に対して特殊光観察への切替を推奨することがそれぞれ特定される。【００７９】
図５のテーブルデータＴＤＢによれば、例えば、本体装置１２から出力される身体情報にＣＤＨ１遺伝子に変異がある旨を示す検査結果が含まれている場合に、内視鏡検査を受ける被検者の胃において現れている異常症状がびまん性胃がんであること、当該異常症状に対応するリスク値が５０であること、及び、当該異常症状に対して特殊光観察への切替を推奨することがそれぞれ特定される。【００８０】
図５のテーブルデータＴＤＢによれば、例えば、本体装置１２から出力される身体情報に切除治療済である旨を示す情報が含まれており、かつ、ＨＥＲ２遺伝子に変異がある旨を示す検査結果が含まれている場合に、内視鏡検査を受ける被検者の胃において現れている異常症状が切除治療済であること、当該異常症状に対応するリスク値が５０であること、及び、当該異常症状に対して特殊光観察への切替を推奨しないことがそれぞれ特定される。【００８１】
図３のテーブルデータＴＤＢによれば、例えば、本体装置１２から出力される身体情報にＥＢウイルス検査が陽性である旨を示す検査結果が含まれている場合に、内視鏡検査を受ける被検者の胃において現れている異常症状が萎縮性胃炎であること、当該異常症状に対応するリスク値が１０であること、及び、当該異常症状に対して特殊光観察への切替を推奨しないことがそれぞれ特定される。【００８２】
図５のテーブルデータＴＤＢによれば、例えば、本体装置１２から出力される身体情報にＮＳＡＩＤｓを服用中である旨を示す情報が含まれている場合に、内視鏡検査を受ける被検者の胃において現れている異常症状が潰瘍であること、当該異常症状に対応するリスク値が５であること、及び、当該異常症状に対して特殊光観察への切替を推奨しないことがそれぞれ特定される。【００８３】
図５のテーブルデータＴＤＢによれば、例えば、本体装置１２から出力される身体情報に被検者の自覚症状がある旨を示す情報が含まれている場合に、内視鏡検査を受ける当該被検者の胃において現れている異常症状が潰瘍であること、当該異常症状に対応するリスク値が５であること、及び、当該異常症状に対して特殊光観察への切替を推奨しないことがそれぞれ特定される。【００８４】
本変形例の異常症状特定部１３Ａは、例えば、本体装置１２から出力される身体情報に対応する異常症状がテーブルデータＴＤＢに含まれていない等の理由により、内視鏡検査を受ける被検者の胃において現れている一の異常症状を特定することができなかった場合に、当該被検者の胃において現れている異常症状の有無が不明である旨を示す情報を病変抽出機能制御部１３Ｂへ出力する。【００８５】
また、本変形例の異常症状特定部１３Ａは、内視鏡検査を受ける被検者の胃において現れている一の異常症状をテーブルデータＴＤＢから特定することができなかった場合に、本体装置１２から出力される身体情報に含まれる情報に応じて設定したリスク値及び特殊光観察の推奨の是非を示す情報を病変抽出機能制御部１３Ｂへ出力する。具体的には、本変形例の異常症状特定部１３Ａは、例えば、本体装置１２から出力される身体情報に胃のＸ線画像に所見がある旨を示す情報が含まれている場合には、リスク値が８０であること、及び、特殊光観察への切替を推奨しないことを示す情報を病変抽出機能制御部１３Ｂへ出力する。【００８６】
なお、本変形例の異常症状特定部１３Ａは、例えば、本体装置１２から出力される身体情報に被検者が積極的な病変の検出を希望するか否か等の要望を示す情報が含まれている場合に、テーブルデータＴＤＢから取得したリスク値を当該情報に応じて増減させるようにしてもよい。【００８７】
具体的には、本変形例の異常症状特定部１３Ａは、例えば、本体装置１２から出力される身体情報に被検者が積極的な病変の検出を希望する旨を示す情報が含まれている場合に、テーブルデータＴＤＢから取得したリスク値を当該情報に応じて増加させるようにしてもよい。また、本変形例の異常症状特定部１３Ａは、例えば、本体装置１２から出力される身体情報に被検者が積極的な病変の検出を希望しない旨を示す情報が含まれている場合に、テーブルデータＴＤＢから取得したリスク値を当該情報に応じて減少させるようにしてもよい。【００８８】
本変形例の異常症状特定部１３Ａは、例えば、図５のテーブルデータＴＤＢに応じた複数の異常症状を同時に特定した場合に、当該複数の異常症状の中で最も優先度の高い一の異常症状と、当該一の異常症状に対応するリスク値と、当該一の異常症状に対する特殊光観察の推奨の是非と、を関連付けた情報を病変抽出機能制御部１３Ｂへ出力する。なお、図５のテーブルデータＴＤＢに含まれる各異常症状の優先度は、例えば、「病変リスク」欄に含まれるリスク値の大きさ等に応じた所定の順番に設定されていればよい。【００８９】
本変形例の病変抽出機能制御部１３Ｂは、異常症状特定部１３Ａから出力される情報に基づき、病変抽出機能部１３Ｃに含まれる複数の病変抽出部の中から当該情報に含まれる一の異常症状に応じた一の病変抽出部を選択するための処理を行い、当該情報に含まれるリスク値（病変リスクの大きさ）に応じた感度を設定するための処理を行うとともに、当該一の病変抽出部において当該感度による病変抽出処理を行わせるための制御を行う。また、本変形例の病変抽出機能制御部１３Ｂは、前述のように選択した一の病変抽出部における病変抽出処理の処理結果と、異常症状特定部１３Ａから出力される情報に含まれる特殊光観察の推奨の是非を示す情報と、を関連付けて出力させるための制御を病変抽出機能部１３Ｃに対して行う。【００９０】
具体的には、病変抽出機能制御部１３Ｂは、例えば、異常症状特定部１３Ａから出力される情報に、異常症状が細菌感染である旨を示す情報と、リスク値が１０である旨を示す情報と、が含まれている場合に、病変抽出機能部１３Ｃに含まれる複数の病変抽出部ＬＥＳの中から病変抽出部ＬＥＳＡを選択するための処理を行い、当該リスク値に応じた感度をＳＰに設定するための処理を行うとともに、当該病変抽出部ＬＥＳＡにおいて当該感度ＳＰによる病変抽出処理を行わせるための制御を行う。【００９１】
また、病変抽出機能制御部１３Ｂは、例えば、異常症状特定部１３Ａから出力される情報に、異常症状が潰瘍である旨を示す情報と、リスク値が５である旨を示す情報と、が含まれている場合に、病変抽出機能部１３Ｃに含まれる複数の病変抽出部ＬＥＳの中から病変抽出部ＬＥＳＢを選択するための処理を行い、当該リスク値に応じた感度をＳＰに設定するための処理を行うとともに、当該病変抽出部ＬＥＳＢにおいて当該感度ＳＰによる病変抽出処理を行わせるための制御を行う。【００９２】
また、病変抽出機能制御部１３Ｂは、例えば、異常症状特定部１３Ａから出力される情報に、異常症状が萎縮性胃炎である旨を示す情報と、リスク値が２０または３０のいずれかの値である旨を示す情報と、が含まれている場合に、病変抽出機能部１３Ｃに含まれる複数の病変抽出部ＬＥＳの中から病変抽出部ＬＥＳＣを選択するための処理を行い、当該リスク値に応じた感度をＳＱ（＞ＳＰ）に設定するための処理を行うとともに、当該病変抽出部ＬＥＳＣにおいて当該感度ＳＱによる病変抽出処理を行わせるための制御を行う。【００９３】
また、病変抽出機能制御部１３Ｂは、例えば、異常症状特定部１３Ａから出力される情報に、異常症状が萎縮性胃炎である旨を示す情報と、リスク値が１０である旨を示す情報と、が含まれている場合に、病変抽出機能部１３Ｃに含まれる複数の病変抽出部ＬＥＳの中から病変抽出部ＬＥＳＣを選択するための処理を行い、当該リスク値に応じた感度をＳＰに設定するための処理を行うとともに、当該病変抽出部ＬＥＳＣにおいて当該感度ＳＰによる病変抽出処理を行わせるための制御を行う。【００９４】
また、病変抽出機能制御部１３Ｂは、例えば、異常症状特定部１３Ａから出力される情報に、異常症状が除菌治療済である旨を示す情報と、リスク値が５０である旨を示す情報と、が含まれている場合に、病変抽出機能部１３Ｃに含まれる複数の病変抽出部ＬＥＳの中から病変抽出部ＬＥＳＤを選択するための処理を行い、当該リスク値に応じた感度をＳＲ（＞ＳＱ）に設定するための処理を行うとともに、当該病変抽出部ＬＥＳＤにおいて当該感度ＳＲによる病変抽出処理を行わせるための制御を行う。【００９５】
また、病変抽出機能制御部１３Ｂは、例えば、異常症状特定部１３Ａから出力される情報に、異常症状がびまん性胃がんである旨を示す情報と、リスク値が５０である旨を示す情報と、が含まれている場合に、病変抽出機能部１３Ｃに含まれる複数の病変抽出部ＬＥＳの中から病変抽出部ＬＥＳＥを選択するための処理を行い、当該リスク値に応じた感度をＳＲに設定するための処理を行うとともに、当該病変抽出部ＬＥＳＥにおいて当該感度ＳＲによる病変抽出処理を行わせるための制御を行う。【００９６】
また、病変抽出機能制御部１３Ｂは、例えば、異常症状特定部１３Ａから出力される情報に、異常症状が切除治療済である旨を示す情報と、リスク値が５０である旨を示す情報と、が含まれている場合に、病変抽出機能部１３Ｃに含まれる複数の病変抽出部ＬＥＳの中から病変抽出部ＬＥＳＦを選択するための処理を行い、当該リスク値に応じた感度をＳＲに設定するための処理を行うとともに、当該病変抽出部ＬＥＳＦにおいて当該感度ＳＲによる病変抽出処理を行わせるための制御を行う。【００９７】
また、病変抽出機能制御部１３Ｂは、例えば、異常症状特定部１３Ａから出力される情報に、異常症状の有無が不明である旨を示す情報と、リスク値が８０である旨を示す情報と、が含まれている場合に、病変抽出機能部１３Ｃに含まれる病変抽出部ＬＥＳＹを選択するための処理を行い、当該リスク値に応じた感度をＳＲに設定するための処理を行うとともに、当該病変抽出部ＬＥＳＹにおいて当該感度ＳＲによる病変抽出処理を行わせるための制御を行う。【００９８】
また、病変抽出機能制御部１３Ｂは、例えば、異常症状特定部１３Ａから出力される情報に、異常症状の有無が不明である旨を示す情報と、リスク値が１０である旨を示す情報と、が含まれている場合に、病変抽出機能部１３Ｃに含まれる病変抽出部ＬＥＳＹを選択するための処理を行い、当該リスク値に応じた感度をＳＰに設定するための処理を行うとともに、当該病変抽出部ＬＥＳＹにおいて当該感度ＳＰによる病変抽出処理を行わせるための制御を行う。【００９９】
病変抽出機能部１３Ｃは、病変抽出機能制御部１３Ｂの制御に応じ、病変抽出部ＬＥＳＸまたは病変抽出部ＬＥＳＹのいずれかにおいて、本体装置１２から出力される内視鏡画像ＥＧから病変候補領域ＬＡを抽出する病変抽出処理を行うとともに、当該病変抽出処理により抽出された病変候補領域ＬＡの位置を特定可能な情報と、異常症状特定部１３Ａにより特定された特殊光観察の推奨の是非を示す情報と、を併せて表示制御部１３Ｄへ出力する。【０１００】
表示制御部１３Ｄは、病変抽出機能部１３Ｃから出力される情報に基づき、本体装置１２から出力される内視鏡画像ＥＧにおける病変候補領域ＬＡの位置を特定するとともに、当該特定した病変候補領域ＬＡの周囲を囲む矩形の枠に相当するマーカＭＧを生成するための処理を行う。【０１０１】
表示制御部１３Ｄは、病変抽出機能部１３Ｃから出力される情報に特殊光観察への切替を推奨しない旨を示す情報が含まれている場合に、図４に例示した表示画像ＤＧＡと同様の表示画像を生成して表示装置１４へ出力するための処理を行う。【０１０２】
表示制御部１３Ｄは、病変抽出機能部１３Ｃから出力される情報に特殊光観察への切替を推奨する旨を示す情報が含まれている場合に、白色光観察モードから特殊光観察モードへの切り替えを促す文字列等を有する文字情報ＭＪを生成するための処理を行う。また、表示制御部１３Ｄは、病変抽出機能部１３Ｃから出力される情報に特殊光観察への切替を推奨する旨を示す情報が含まれている場合に、前述のマーカＭＧを内視鏡画像ＥＧに付加するとともに、前述の文字情報ＭＪを当該内視鏡画像ＥＧの外部の表示領域に付加することにより表示画像を生成し、当該生成した表示画像を表示装置１４へ出力するための処理を行う。すなわち、本変形例の表示制御部１３Ｄは、異常症状特定部１３Ａにより特定された一の異常症状に対して特殊光観察への切替を推奨することを検出した場合に、内視鏡検査を受ける被検者の診断対象の臓器を撮像して得られた内視鏡画像ＥＧと、病変抽出部ＬＥＳＸまたは病変抽出部ＬＥＳＹにより抽出された病変候補領域ＬＡの位置を示す情報と、特殊光観察の実施を促す情報と、を併せて表示装置１４に表示させるための処理を行う。そして、このような表示制御部１３Ｄの処理によれば、例えば、図６に示すような表示画像ＤＧＢが表示装置１４に表示される。図６は、第１の実施形態の変形例に係る診断支援装置の処理に応じて表示される表示画像の一例を示す図である。【０１０３】
なお、本変形例によれば、文字情報ＭＪを表示装置１４に表示させる代わりに、例えば、当該文字情報ＭＪに対応する音声を図示しないスピーカから出力させるようにしてもよい。【０１０４】
また、本変形例によれば、例えば、病変抽出機能部１３Ｃに含まれる各病変抽出部が、内視鏡画像ＥＧから抽出した病変候補領域ＬＡの尤度ＬＫを算出するための処理をさらに含むような病変抽出処理を行うとともに、当該病変候補領域ＬＡの位置を示す情報と、当該尤度ＬＫの算出結果を示す情報と、異常症状特定部１３Ａにより特定された特殊光観察の推奨の是非を示す情報と、を併せて表示制御部１３Ｄへ出力するように構成されていてもよい。さらに、このような構成において、例えば、病変抽出機能部１３Ｃから出力される情報に特殊光観察への切替を推奨する旨を示す情報が含まれており、かつ、病変抽出機能部１３Ｃから出力される情報により示される尤度ＬＫが所定の範囲内に属している場合に、文字情報ＭＪを生成して表示装置１４に表示させるための動作が表示制御部１３Ｄにより行われるようにしてもよい。【０１０５】
また、本変形例によれば、例えば、病変抽出機能部１３Ｃに含まれる複数の病変抽出部のうちの少なくとも１つの病変抽出部が、病変抽出処理における感度に応じて細分化されていてもよい。具体的には、例えば、病変抽出部ＬＥＳＡの代わりに、ピロリ菌感染時における病変抽出に特化された病変抽出処理を感度ＳＰで行う病変抽出部ＬＥＳＡＰと、当該病変抽出処理を感度ＳＱで行う病変抽出部ＬＥＳＡＱと、当該病変抽出処理を感度ＳＲで行う病変抽出部ＬＥＳＡＲと、が病変抽出機能部１３Ｃに設けられていてもよい。【０１０６】
以上に述べたように、本変形例によれば、前述の実施形態の方法（テーブルデータＴＤＡを用いた方法）と略同様の方法を用い、病変抽出機能部１３Ｃに含まれる複数の病変抽出部の中から一の病変抽出部を選択することができる。さらに、本変形例によれば、前述のように選択された一の病変抽出部における病変抽出処理を、内視鏡検査を受ける被検者の診断対象の臓器における病変の発生頻度に応じて設定された感度で行うことができる。そのため、本変形例によれば、診断対象の臓器における病変の抽出精度を確保することができる。【０１０７】
なお、本変形例によれば、例えば、内視鏡検査を受ける被検者の診断対象の臓器が食道であり、かつ、当該被検者の人種が欧米人であることを示す情報が本体装置１２から出力される身体情報に含まれている場合に、当該診断対象の臓器においてバレット食道が現れているか否かを特定するための処理が異常症状特定部１３Ａにより行われるようにしてもよい。さらに、本変形例によれば、例えば、内視鏡検査を受ける被検者の食道において現れている一の異常症状がバレット食道であることが特定された場合に、当該一の異常症状に応じた一の病変抽出部を選択するための処理と、当該一の異常症状に応じた感度を設定するための処理と、当該一の病変抽出部において当該感度による病変抽出処理を行わせるための制御と、が病変抽出機能制御部１３Ｂにおいて行われるようにしてもよい。【０１０８】
（第２の実施形態）
図７及び図８は、第２の実施形態に係るものである。【０１０９】
なお、本実施形態においては、第１の実施形態と同様の構成等を有する部分に関する詳細な説明を適宜省略するとともに、第１の実施形態と異なる構成等を有する部分に関して主に説明を行う。【０１１０】
本実施形態の内視鏡システム１は、診断支援装置１３の代わりに、例えば、図７に示すような診断支援装置２３を有して構成されている。図７は、第２の実施形態に係る診断支援装置の構成の具体例を説明するためのブロック図である。【０１１１】
診断支援装置２３は、診断支援装置１３の異常症状特定部１３Ａを異常症状特定部２３Ａに置き換えるとともに、診断支援装置１３の病変抽出機能制御部１３Ｂを病変抽出機能制御部２３Ｂに置き換えたものと略同様の構成を有して構成されている。【０１１２】
異常症状特定部２３Ａは、本体装置１２から出力される異常所見検出指示を検出した場合に、当該異常所見検出指示を検出したタイミングで入力された内視鏡画像に基づき、内視鏡検査を受ける被検者の診断対象の臓器において現れている一の異常症状を特定するための処理を行うように構成されている。また、異常症状特定部２３Ａは、前述のように特定した一の異常症状を示す情報を病変抽出機能制御部２３Ｂへ出力するように構成されている。すなわち、異常症状特定部２３Ａは、内視鏡検査を受ける被検者の診断対象の臓器を撮像して得られた内視鏡画像に基づき、当該診断対象の臓器において現れている一の異常症状を特定するための処理を行うように構成されている。【０１１３】
具体的には、異常症状特定部２３Ａは、例えば、本体装置１２から出力される内視鏡画像の色調を表す特徴量（色相、彩度及び明度のうちの少なくとも１つ）と、当該内視鏡画像内に設定した関心領域に含まれる複数の画素の画素値に基づいて算出される統計量（画素値の分散及び輝度勾配の分布のうちの少なくとも１つ）と、を用いて一の異常症状を特定するための処理を行う。【０１１４】
あるいは、異常症状特定部２３Ａは、例えば、所定の臓器の内部を撮像して得られた画像を用いた機械学習により当該所定の臓器において現れ得る複数の異常症状を認識して異常症状毎に分類することができるように構成された分類器を有している場合に、本体装置１２から出力される内視鏡画像の画素値等を当該分類器に入力して得られた出力結果に基づいて一の異常症状を特定するための処理を行う。【０１１５】
異常症状特定部２３Ａは、本体装置１２から出力される一の異常所見検出指示を検出したタイミングから、本体装置１２から出力される次の異常所見検出指示を検出するタイミングまでの期間において、当該一の異常所見検出指示に応じて特定した一の異常症状を示す情報を病変抽出機能制御部２３Ｂへ出力し続けるように構成されている。【０１１６】
病変抽出機能制御部２３Ｂは、異常症状特定部２３Ａから出力される情報に基づき、病変抽出機能部１３Ｃに含まれる複数の病変抽出部の中から当該情報に含まれる一の異常症状に応じた一の病変抽出部を選択するための処理を行うとともに、当該一の病変抽出部において病変抽出処理を行わせるための制御を行うように構成されている。【０１１７】
続いて、本実施形態の作用について説明する。【０１１８】
ユーザは、内視鏡システム１の各部を接続して電源を投入した後、被検者の内部へ内視鏡１１の挿入部を挿入するとともに、当該被検者の胃の内部における所望の被写体を撮像可能な位置に当該挿入部の先端部を配置する。また、ユーザは、例えば、被検者の胃の内部における所望の被写体を観察している期間に属する時刻ＴＰにおいて、入力Ｉ／Ｆ１２３の異常所見検出指示スイッチを操作することにより異常所見検出指示を行う。【０１１９】
制御部１２４は、本体装置１２の電源が投入された際に、Ｂ光、Ｇ光及びＲ光を照明光として順次または同時に発生させるための制御を光源部１２１に対して行う。そして、このような制御部１２４の制御に応じ、光源部１２１から内視鏡１１へ照明光が供給され、当該照明光により照明された被写体からの戻り光が撮像部１１１において撮像され、撮像部１１１から本体装置１２へ出力される撮像信号に応じた内視鏡画像ＥＧが画像生成部１２２において生成され、当該生成された内視鏡画像ＥＧが診断支援装置２３へ１フレームずつ順次出力される。【０１２０】
制御部１２４は、入力Ｉ／Ｆ１２３において異常所見検出指示が行われたことを検出した際に、当該異常所見検出指示を診断支援装置２３へ出力するための動作を行う。【０１２１】
異常症状特定部２３Ａは、本体装置１２から出力される異常所見検出指示を時刻ＴＰにおいて検出した場合に、当該時刻ＴＰにおいて本体装置１２から入力された内視鏡画像ＥＧに基づき、内視鏡検査を受ける被検者の診断対象の臓器において現れている一の異常症状を特定するための処理を行う。また、異常症状特定部２３Ａは、前述の処理により特定した一の異常症状を示す情報を病変抽出機能制御部２３Ｂへ出力する。【０１２２】
具体的には、異常症状特定部２３Ａは、例えば、本体装置１２から出力される内視鏡画像ＥＧの色調が高彩度の赤色調（発赤した粘膜に相当する色調）であることを検出した場合に、内視鏡検査を受ける被検者の胃において現れている異常症状が細菌感染であることを特定する。【０１２３】
また、異常症状特定部２３Ａは、例えば、本体装置１２から出力される内視鏡画像ＥＧの色調が低彩度の赤色調（退色した粘膜に相当する色調）であることを検出した場合に、内視鏡検査を受ける被検者の胃において現れている異常症状が細菌感染であることを特定する。【０１２４】
また、異常症状特定部２３Ａは、例えば、本体装置１２から出力される内視鏡画像ＥＧの色調が白色調（白濁した粘液により生じる色調）であることを検出した場合に、内視鏡検査を受ける被検者の胃において現れている異常症状が細菌感染であることを特定する。【０１２５】
また、異常症状特定部２３Ａは、例えば、本体装置１２から出力される内視鏡画像ＥＧに対して日本国特開２０１５−１８１５９４号に開示された手法等を用いた処理を施すことにより、当該内視鏡画像ＥＧに黒苔または白苔が存在していることを検出した場合に、内視鏡検査を受ける被検者の胃において現れている異常症状が潰瘍であることを特定する。【０１２６】
また、異常症状特定部２３Ａは、例えば、本体装置１２から出力される内視鏡画像ＥＧに対して所定の処理を施すことにより、当該内視鏡画像ＥＧに樹枝状血管が存在していることを検出した場合に、内視鏡検査を受ける被検者の胃において現れている異常症状が萎縮性胃炎であることを特定する。【０１２７】
すなわち、以上に述べた異常症状特定部２３Ａの動作等によれば、時刻ＴＰの時点で本体装置１２から出力された内視鏡画像ＥＧＰに基づいて内視鏡検査を受ける被検者の診断対象の臓器において現れている一の異常症状が特定されるとともに、当該特定した一の異常症状を示す情報が病変抽出機能制御部２３Ｂへ出力される。【０１２８】
異常症状特定部２３Ａは、例えば、本体装置１２から出力される内視鏡画像ＥＧから一の異常症状を特定することができなかった場合に、被検者の胃において現れている異常症状の有無が不明である旨を示す情報を病変抽出機能制御部２３Ｂへ出力する。【０１２９】
異常症状特定部２３Ａは、本体装置１２から出力される一の異常所見検出指示を検出した時刻ＴＰから、本体装置１２から出力される次の異常所見検出指示を検出する時刻ＴＱまでの期間において、当該一の異常所見検出指示に応じて特定した一の異常症状を示す情報を病変抽出機能制御部２３Ｂへ出力し続ける。【０１３０】
病変抽出機能制御部２３Ｂは、異常症状特定部２３Ａから出力される情報に基づき、病変抽出機能部１３Ｃに含まれる複数の病変抽出部の中から当該情報に含まれる一の異常症状に応じた一の病変抽出部を選択するための処理を行うとともに、当該一の病変抽出部において病変抽出処理を行わせるための制御を行う。【０１３１】
具体的には、病変抽出機能制御部２３Ｂは、例えば、異常症状特定部２３Ａから出力される情報に異常症状が細菌感染である旨を示す情報が含まれている場合に、病変抽出機能部１３Ｃに含まれる複数の病変抽出部ＬＥＳの中から病変抽出部ＬＥＳＡを選択するための処理を行うとともに、当該病変抽出部ＬＥＳＡにおいて病変抽出処理を行わせるための制御を行う。【０１３２】
また、病変抽出機能制御部２３Ｂは、例えば、異常症状特定部２３Ａから出力される情報に異常症状が潰瘍である旨を示す情報が含まれている場合に、病変抽出機能部１３Ｃに含まれる複数の病変抽出部ＬＥＳの中から病変抽出部ＬＥＳＢを選択するための処理を行うとともに、当該病変抽出部ＬＥＳＢにおいて病変抽出処理を行わせるための制御を行う。【０１３３】
また、病変抽出機能制御部２３Ｂは、例えば、異常症状特定部２３Ａから出力される情報に異常症状が萎縮性胃炎である旨を示す情報が含まれている場合に、病変抽出機能部１３Ｃに含まれる複数の病変抽出部ＬＥＳの中から病変抽出部ＬＥＳＣを選択するための処理を行うとともに、当該病変抽出部ＬＥＳＣにおいて病変抽出処理を行わせるための制御を行う。【０１３４】
また、病変抽出機能制御部２３Ｂは、例えば、異常症状特定部２３Ａから出力される情報に異常症状の有無が不明である旨を示す情報が含まれている場合（異常症状特定部２３Ａにより異常症状が特定されなかった場合）に、病変抽出機能部１３Ｃに含まれる病変抽出部ＬＥＳＹを選択するための処理を行うとともに、当該病変抽出部ＬＥＳＹにおいて病変抽出処理を行わせるための制御を行う。【０１３５】
すなわち、以上に述べた具体例においては、３つの病変抽出部ＬＥＳＡ、ＬＥＳＢ及びＬＥＳＣのうちのいずれか１つが病変抽出部ＬＥＳＸに相当する。【０１３６】
病変抽出機能部１３Ｃは、病変抽出機能制御部２３Ｂの制御に応じ、病変抽出部ＬＥＳＸまたは病変抽出部ＬＥＳＹのいずれかにおいて、本体装置１２から出力された内視鏡画像ＥＧＰから病変候補領域ＬＡＰを抽出する病変抽出処理を行うとともに、当該病変抽出処理により抽出された病変候補領域ＬＡＰの位置を特定可能な情報を表示制御部１３Ｄへ出力する。【０１３７】
表示制御部１３Ｄは、病変抽出機能部１３Ｃから出力される情報に基づき、時刻ＴＰの時点で入力された内視鏡画像ＥＧＰにおける病変候補領域ＬＡＰの位置を特定し、当該特定した病変候補領域ＬＡＰの周囲を囲む矩形の枠に相当するマーカＭＧＰを生成するための処理を行う。また、表示制御部１３Ｄは、前述のマーカＭＧＰを内視鏡画像ＥＧＰに付加することにより表示画像を生成し、当該生成した表示画像を表示装置１４へ出力するための処理を行う。すなわち、本実施形態の表示制御部１３Ｄは、内視鏡検査を受ける被検者の診断対象の臓器を撮像して得られた内視鏡画像ＥＧＰと、病変抽出部ＬＥＳＸまたは病変抽出部ＬＥＳＹにより抽出された病変候補領域ＬＡＰの位置を示す情報と、を併せて表示装置１４に表示させるための処理を行う。そして、このような表示制御部１３Ｄの処理によれば、例えば、図８に示すような表示画像ＤＧＣが表示装置１４に表示される。図８は、第２の実施形態に係る診断支援装置の処理に応じて表示される表示画像の一例を示す図である。【０１３８】
以上に述べたように、本実施形態によれば、内視鏡検査を受ける被検者の胃の内部（診断対象の臓器）を撮像して得られた内視鏡画像が異常症状特定部２３Ａに入力され、当該内視鏡画像に対する処理の処理結果に応じた一の異常症状が異常症状特定部２３Ａにより特定され、複数の病変抽出部の中から当該一の異常症状に最も適した一の病変抽出部が病変抽出機能制御部２３Ｂにより選択されるとともに、当該一の病変抽出部において当該内視鏡画像から病変候補領域を抽出する処理が病変抽出機能部１３Ｃにより行われるようにしている。そのため、本実施形態によれば、診断対象の臓器における病変の抽出精度を確保することができる。【０１３９】
また、以上に述べたように、本実施形態によれば、入力Ｉ／Ｆ１２３において異常所見検出指示が行われたタイミング毎に、被検者の胃において現れている一の異常症状を内視鏡画像に基づいて特定するための処理が異常症状特定部２３Ａにより行われるようにしている。そのため、本実施形態によれば、例えば、ユーザが、噴門部、胃底部、胃体部及び幽門部等のような胃の内部における所望の観察対象部位を観察している状況において、適宜のタイミングで入力Ｉ／Ｆ１２３の異常所見検出指示スイッチを操作することにより、当該所望の観察対象部位において現れている異常症状に応じた病変を精度良く抽出することができる。【０１４０】
なお、本実施形態によれば、例えば、内視鏡検査を受ける被検者の診断対象の臓器が胃である場合に、細菌感染、潰瘍及び萎縮性胃炎以外の一の異常症状を特定するための処理が異常症状特定部２３Ａにおいて行われるとともに、当該一の異常症状に応じた一の病変抽出部を選択するための処理と、当該一の病変抽出部において病変抽出処理を行わせるための制御と、が病変抽出機能制御部２３Ｂにおいて行われるようにしてもよい。【０１４１】
また、本実施形態によれば、例えば、内視鏡検査を受ける被検者の診断対象の臓器が食道である場合に、本体装置１２から出力される内視鏡画像ＥＧに基づいて当該診断対象の臓器において現れている一の異常症状がバレット食道であることが異常症状特定部２３Ａにより特定されるとともに、当該一の異常症状に応じた一の病変抽出部を選択するための処理と、当該一の病変抽出部において病変抽出処理を行わせるための制御と、が病変抽出機能制御部２３Ｂにおいて行われるようにしてもよい。【０１４２】
（第３の実施形態）
図９及び図１０は、第３の実施形態に係るものである。【０１４３】
なお、本実施形態においては、第１及び第２の実施形態のうちの少なくともいずれか一方と同様の構成等を有する部分に関する詳細な説明を適宜省略するとともに、第１及び第２の実施形態のいずれともと異なる構成等を有する部分に関して主に説明を行う。【０１４４】
本実施形態の内視鏡システム１は、診断支援装置１３の代わりに、例えば、図９に示すような診断支援装置３３を有して構成されている。図９は、第３の実施形態に係る診断支援装置の構成の具体例を説明するためのブロック図である。【０１４５】
診断支援装置３３は、診断支援装置１３の異常症状特定部１３Ａを異常症状特定部３３Ａに置き換えるとともに、診断支援装置１３の病変抽出機能制御部１３Ｂを病変抽出機能制御部３３Ｂに置き換えたものと略同様の構成を有して構成されている。【０１４６】
異常症状特定部３３Ａは、本体装置１２から出力される身体情報に基づき、内視鏡検査を受ける被検者の診断対象の臓器において現れている一の異常症状を特定するための処理を行うように構成されている。【０１４７】
異常症状特定部３３Ａは、本体装置１２から出力される内視鏡画像に含まれる診断対象の臓器の解剖学的部位に相当する観察対象部位を特定するための処理を行うように構成されている。換言すると、前述の観察対象部位は、診断対象の臓器を解剖学的に分類した場合における複数の部位のうちの一の部位として特定される。【０１４８】
具体的には、異常症状特定部３３Ａは、例えば、所定の臓器の内部における複数の部位を撮像して得られた画像を用いた機械学習により当該複数の部位を認識して部位毎に分類することができるように構成された分類器を有している場合に、本体装置１２から出力される内視鏡画像の画素値等を当該分類器に入力して得られた出力結果に基づいて観察対象部位を特定するための処理を行う。【０１４９】
なお、本実施形態によれば、例えば、内視鏡１１の挿入部の先端部のアングルを変化させるための操作を行うことが可能なアングルノブ（不図示）が内視鏡１１の操作部に設けられている場合に、当該アングルノブの操作状態を検出して得られた検出結果を用いて観察対象部位を特定するための処理が異常症状特定部３３Ａにより行われるようにしてもよい。【０１５０】
異常症状特定部３３Ａは、前述の処理により特定した一の異常症状及び観察対象部位に基づき、当該観察対象部位に現れている当該一の異常症状に応じた病変リスクの大きさと、当該観察対象部位に現れている当該一の異常症状に対する特殊光観察の推奨の是非と、をそれぞれ特定するための処理を行うように構成されている。また、異常症状特定部３３Ａは、前述の処理により特定した一の異常症状と、前述の処理により特定した病変リスクの大きさと、前述の処理により特定した特殊光観察の推奨の是非と、を関連付けた情報を病変抽出機能制御部３３Ｂへ出力するように構成されている。【０１５１】
病変抽出機能制御部３３Ｂは、異常症状特定部３３Ａから出力される情報に基づき、病変抽出機能部１３Ｃに含まれる複数の病変抽出部の中から当該情報に含まれる一の異常症状に応じた一の病変抽出部を選択するための処理を行い、当該情報に含まれる病変リスクの大きさに応じた感度を設定するための処理を行うとともに、当該一の病変抽出部において当該感度による病変抽出処理を行わせるための制御を行うように構成されている。また、病変抽出機能制御部３３Ｂは、前述のように選択した一の病変抽出部における病変抽出処理の処理結果と、異常症状特定部３３Ａから出力される情報に含まれる特殊光観察の推奨の是非を示す情報と、を関連付けて出力させるための制御を病変抽出機能部１３Ｃに対して行うように構成されている。【０１５２】
続いて、本実施形態の作用について説明する。【０１５３】
ユーザは、内視鏡システム１の各部を接続して電源を投入した後、被検者の内部へ内視鏡１１の挿入部を挿入するとともに、当該被検者の胃の内部における所望の被写体を撮像可能な位置に当該挿入部の先端部を配置する。【０１５４】
制御部１２４は、本体装置１２の電源が投入された際に、Ｂ光、Ｇ光及びＲ光を照明光として順次または同時に発生させるための制御を光源部１２１に対して行う。そして、このような制御部１２４の制御に応じ、光源部１２１から内視鏡１１へ照明光が供給され、当該照明光により照明された被写体からの戻り光が撮像部１１１において撮像され、撮像部１１１から本体装置１２へ出力される撮像信号に応じた内視鏡画像ＥＧが画像生成部１２２において生成され、当該生成された内視鏡画像ＥＧが診断支援装置３３へ１フレームずつ順次出力される。【０１５５】
異常症状特定部３３Ａは、本体装置１２から出力される身体情報に基づき、内視鏡検査を受ける被検者の胃において現れている一の異常症状を特定するための処理を行う。【０１５６】
具体的には、異常症状特定部３３Ａは、例えば、図３に示したようなテーブルデータＴＤＡを記憶媒体１３２から読み込むとともに、当該読み込んだテーブルデータＴＤＡと、本体装置１２から出力される身体情報と、を照合することにより、内視鏡検査を受ける被検者の胃において現れている一の異常症状を特定する。【０１５７】
異常症状特定部３３Ａは、本体装置１２から出力される内視鏡画像に基づき、内視鏡検査を受ける被検者の胃における観察対象部位を特定するための処理を行う。【０１５８】
具体的には、異常症状特定部３３Ａは、例えば、本体装置１２から出力される内視鏡画像に基づき、胃における観察対象部位が胃体部、前庭部、穹窿部、胃角部、及び、その他の部位のうちのいずれに属するかを特定する。【０１５９】
異常症状特定部３３Ａは、前述の処理により特定した一の異常症状及び観察対象部位に基づき、当該観察対象部位に現れている当該一の異常症状に応じた病変リスクの大きさと、当該観察対象部位に現れている当該一の異常症状に対する特殊光観察の推奨の是非と、をそれぞれ特定するための処理を行う。また、異常症状特定部３３Ａは、前述の処理により特定した一の異常症状と、前述の処理により特定した病変リスクの大きさと、前述の処理により特定した特殊光観察の推奨の是非と、を関連付けた情報を病変抽出機能制御部３３Ｂへ出力する【０１６０】
具体的には、異常症状特定部３３Ａは、例えば、図１０に示すようなテーブルデータＴＤＣを記憶媒体１３２から読み込むとともに、当該読み込んだテーブルデータＴＤＣと、前述の処理により特定した一の異常症状及び観察対象部位と、を照合することにより、当該観察対象部位に現れている当該一の異常症状に応じた病変リスクの大きさと、当該観察対象部位に現れている当該一の異常症状に対する特殊光観察の推奨の是非と、をそれぞれ特定する。図１０は、第３の実施形態に係る診断支援装置の処理において用いられるテーブルデータの一例を示す図である。【０１６１】
図１０のテーブルデータＴＤＣの「異常症状」欄には、図３のテーブルデータＴＤＡの「異常症状」欄に含まれる胃の症状のうちの少なくとも１つの症状を胃の部位に応じて細分化した複数の項目が含まれている。また、図１０のテーブルデータＴＤＣの「詳細部位」欄には、「異常症状」欄の各々の項目に対応する胃の部位を示す複数の項目が含まれている。また、図１０のテーブルデータＴＤＣの「病変リスク」欄には、「異常症状」欄における胃の症状と「詳細部位」欄における胃の部位との組み合わせ毎の病変の発生頻度の高さに応じて設定された値に相当するリスク値を示す複数の項目が含まれている。また、図１０のテーブルデータＴＤＣの「特殊光観察」欄には、「詳細部位」欄の胃の部位における「異常症状」欄の胃の症状に対する特殊光観察（狭帯域光観察）の要否を示す複数の項目が含まれている。なお、図１０のテーブルデータＴＤＣの「病変リスク」欄における各項目の値は、０より大きくかつ１００より小さい相対値として設定されているものとする。【０１６２】
図１０のテーブルデータＴＤＣによれば、例えば、内視鏡検査を受ける被検者の胃において現れている異常症状が萎縮性胃炎であることが特定され、かつ、当該胃における観察対象部位が胃体部または前庭部のいずれかであることが特定された場合に、当該観察対象部位に現れている当該異常症状に対応するリスク値が２５であること、及び、当該観察対象部位に現れている当該異常症状に対して特殊光観察への切替を推奨しないことがそれぞれ特定される。【０１６３】
図１０のテーブルデータＴＤＣによれば、例えば、内視鏡検査を受ける被検者の胃において現れている異常症状が萎縮性胃炎であることが特定され、かつ、当該胃における観察対象部位が穹窿部であることが特定された場合に、当該観察対象部位に現れている当該異常症状に対応するリスク値が８であること、及び、当該観察対象部位に現れている当該異常症状に対して特殊光観察への切替を推奨しないことがそれぞれ特定される。【０１６４】
図１０のテーブルデータＴＤＣによれば、例えば、内視鏡検査を受ける被検者の胃において現れている異常症状が萎縮性胃炎であることが特定され、かつ、当該胃における観察対象部位が胃体部、前庭部及び穹窿部のいずれにも該当しないその他の部位であることが特定された場合に、当該観察対象部位に現れている当該異常症状に対応するリスク値が２０であること、及び、当該観察対象部位に現れている当該異常症状に対して特殊光観察への切替を推奨しないことがそれぞれ特定される。【０１６５】
図１０のテーブルデータＴＤＣによれば、例えば、内視鏡検査を受ける被検者の胃において現れている異常症状が潰瘍であることが特定され、かつ、当該胃における観察対象部位が胃角部または胃体部のいずれかであることが特定された場合に、当該観察対象部位に現れている当該異常症状に対応するリスク値が１０であること、及び、当該観察対象部位に現れている当該異常症状に対して特殊光観察への切替を推奨しないことがそれぞれ特定される。【０１６６】
図１０のテーブルデータＴＤＣによれば、例えば、内視鏡検査を受ける被検者の胃において現れている異常症状が潰瘍であることが特定され、かつ、当該胃における観察対象部位が胃角部及び胃体部のいずれにも該当しないその他の部位であることが特定された場合に、当該観察対象部位に現れている当該異常症状に対応するリスク値が５であること、及び、当該観察対象部位に現れている当該異常症状に対して特殊光観察への切替を推奨しないことがそれぞれ特定される。【０１６７】
図１０のテーブルデータＴＤＣによれば、例えば、内視鏡検査を受ける被検者の胃において現れている異常症状がびまん性胃がんであることが特定され、かつ、当該胃における観察対象部位が胃角部であることが特定された場合に、当該観察対象部位に現れている当該異常症状に対応するリスク値が５０であること、及び、当該観察対象部位に現れている当該異常症状に対して特殊光観察への切替を推奨することがそれぞれ特定される。【０１６８】
図１０のテーブルデータＴＤＣによれば、例えば、内視鏡検査を受ける被検者の胃において現れている異常症状がびまん性胃がんであることが特定され、かつ、当該胃における観察対象部位が胃体部であることが特定された場合に、当該観察対象部位に現れている当該異常症状に対応するリスク値が４０であること、及び、当該観察対象部位に現れている当該異常症状に対して特殊光観察への切替を推奨することがそれぞれ特定される。【０１６９】
図１０のテーブルデータＴＤＣによれば、例えば、内視鏡検査を受ける被検者の胃において現れている異常症状がびまん性胃がんであることが特定され、かつ、当該胃における観察対象部位が穹窿部であることが特定された場合に、当該観察対象部位に現れている当該異常症状に対応するリスク値が２０であること、及び、当該観察対象部位に現れている当該異常症状に対して特殊光観察への切替を推奨しないことがそれぞれ特定される。【０１７０】
図１０のテーブルデータＴＤＣによれば、例えば、内視鏡検査を受ける被検者の胃において現れている異常症状がびまん性胃がんであることが特定され、かつ、当該胃における観察対象部位が胃角部、胃体部及び穹窿部のいずれにも該当しないその他の部位であることが特定された場合に、当該観察対象部位に現れている当該異常症状に対応するリスク値が３５であること、及び、当該観察対象部位に現れている当該異常症状に対して特殊光観察への切替を推奨することがそれぞれ特定される。【０１７１】
すなわち、以上に述べた異常症状特定部３３Ａの動作等によれば、本体装置１２から出力された身体情報と、本体装置１２から出力された内視鏡画像ＥＧＱと、に基づき、内視鏡検査を受ける被検者の診断対象の臓器において現れている一の異常症状と、当該診断対象の臓器における観察対象部位に現れている当該一の異常症状に応じた病変リスクの大きさと、当該観察対象部位に現れている当該一の異常症状に対する特殊光観察の推奨の是非と、がそれぞれ特定される。【０１７２】
異常症状特定部３３Ａは、例えば、本体装置１２から出力される身体情報に対応する異常症状がテーブルデータＴＤＡに含まれていない等の理由により、内視鏡検査を受ける被検者の胃において現れている一の異常症状を特定することができなかった場合に、当該被検者の胃において現れている異常症状の有無が不明である旨を示す情報を病変抽出機能制御部３３Ｂへ出力する。【０１７３】
病変抽出機能制御部３３Ｂは、異常症状特定部３３Ａから出力される情報に基づき、病変抽出機能部１３Ｃに含まれる複数の病変抽出部の中から当該情報に含まれる一の異常症状に応じた一の病変抽出部を選択するための処理を行い、当該情報に含まれるリスク値（病変リスクの大きさ）に応じた感度を設定するための処理を行うとともに、当該一の病変抽出部において当該感度による病変抽出処理を行わせるための制御を行う。また、本変形例の病変抽出機能制御部３３Ｂは、前述のように選択した一の病変抽出部における病変抽出処理の処理結果と、異常症状特定部３３Ａから出力される情報に含まれる特殊光観察の推奨の是非を示す情報と、を関連付けて出力させるための制御を病変抽出機能部１３Ｃに対して行う。【０１７４】
具体的には、病変抽出機能制御部３３Ｂは、例えば、異常症状特定部３３Ａから出力される情報に、異常症状が萎縮性胃炎である旨を示す情報と、リスク値が２０または２５である旨を示す情報と、が含まれている場合に、病変抽出機能部１３Ｃに含まれる複数の病変抽出部ＬＥＳの中から病変抽出部ＬＥＳＣを選択するための処理を行い、当該リスク値に応じた感度をＳＭに設定するための処理を行うとともに、当該病変抽出部ＬＥＳＣにおいて当該感度ＳＭによる病変抽出処理を行わせるための制御を行う。【０１７５】
また、病変抽出機能制御部３３Ｂは、例えば、異常症状特定部３３Ａから出力される情報に、異常症状が萎縮性胃炎である旨を示す情報と、リスク値が８である旨を示す情報と、が含まれている場合に、病変抽出機能部１３Ｃに含まれる複数の病変抽出部ＬＥＳの中から病変抽出部ＬＥＳＣを選択するための処理を行い、当該リスク値に応じた感度をＳＫ（＜ＳＭ）に設定するための処理を行うとともに、当該病変抽出部ＬＥＳＣにおいて当該感度ＳＫによる病変抽出処理を行わせるための制御を行う。【０１７６】
また、病変抽出機能制御部３３Ｂは、例えば、異常症状特定部３３Ａから出力される情報に、異常症状が潰瘍である旨を示す情報と、リスク値が１０である旨を示す情報と、が含まれている場合に、病変抽出機能部１３Ｃに含まれる複数の病変抽出部ＬＥＳの中から病変抽出部ＬＥＳＢを選択するための処理を行い、当該リスク値に応じた感度をＳＬ（但し、ＳＫ＜ＳＬ＜ＳＭを満たすものとする）に設定するための処理を行うとともに、当該病変抽出部ＬＥＳＢにおいて当該感度ＳＬによる病変抽出処理を行わせるための制御を行う。【０１７７】
また、病変抽出機能制御部３３Ｂは、例えば、異常症状特定部３３Ａから出力される情報に、異常症状が潰瘍である旨を示す情報と、リスク値が５である旨を示す情報と、が含まれている場合に、病変抽出機能部１３Ｃに含まれる複数の病変抽出部ＬＥＳの中から病変抽出部ＬＥＳＢを選択するための処理を行い、当該リスク値に応じた感度をＳＫに設定するための処理を行うとともに、当該病変抽出部ＬＥＳＢにおいて当該感度ＳＫによる病変抽出処理を行わせるための制御を行う。【０１７８】
また、病変抽出機能制御部３３Ｂは、例えば、異常症状特定部３３Ａから出力される情報に、異常症状がびまん性胃がんである旨を示す情報と、リスク値が３５、４０または５０のいずれかの値である旨を示す情報と、が含まれている場合に、病変抽出機能部１３Ｃに含まれる複数の病変抽出部ＬＥＳの中から病変抽出部ＬＥＳＥを選択するための処理を行い、当該リスク値に応じた感度をＳＮ（＞ＳＭ）に設定するための処理を行うとともに、当該病変抽出部ＬＥＳＥにおいて当該感度ＳＮによる病変抽出処理を行わせるための制御を行う。【０１７９】
また、病変抽出機能制御部３３Ｂは、例えば、異常症状特定部３３Ａから出力される情報に、異常症状がびまん性胃がんである旨を示す情報と、リスク値が２０である旨を示す情報と、が含まれている場合に、病変抽出機能部１３Ｃに含まれる複数の病変抽出部ＬＥＳの中から病変抽出部ＬＥＳＥを選択するための処理を行い、当該リスク値に応じた感度をＳＭに設定するための処理を行うとともに、当該病変抽出部ＬＥＳＥにおいて当該感度ＳＭによる病変抽出処理を行わせるための制御を行う。【０１８０】
また、病変抽出機能制御部３３Ｂは、例えば、異常症状特定部３３Ａから出力される情報に異常症状の有無が不明である旨を示す情報が含まれている場合（異常症状特定部３３Ａにより異常症状が特定されなかった場合）に、病変抽出機能部１３Ｃに含まれる病変抽出部ＬＥＳＹを選択するための処理を行い、感度ＳＫ、ＳＬ、ＳＭ及びＳＮのうちのデフォルト値に相当する一の感度に設定するための処理を行うとともに、当該病変抽出部ＬＥＳＥにおいて当該一の感度による病変抽出処理を行わせるための制御を行う。【０１８１】
すなわち、以上に述べた具体例においては、３つの病変抽出部ＬＥＳＢ、ＬＥＳＣ及びＬＥＳＥのうちのいずれか１つが病変抽出部ＬＥＳＸに相当する。【０１８２】
病変抽出機能部１３Ｃは、病変抽出機能制御部３３Ｂの制御に応じ、病変抽出部ＬＥＳＸまたは病変抽出部ＬＥＳＹのいずれかにおいて、本体装置１２から出力された内視鏡画像ＥＧから病変候補領域ＬＡを抽出する病変抽出処理を行うとともに、当該病変抽出処理により抽出された病変候補領域ＬＡの位置を特定可能な情報を表示制御部１３Ｄへ出力する。【０１８３】
表示制御部１３Ｄは、病変抽出機能部１３Ｃから出力される情報に基づき、本体装置１２から出力された内視鏡画像ＥＧにおける病変候補領域ＬＡの位置を特定し、当該特定した病変候補領域ＬＡの周囲を囲む矩形の枠に相当するマーカＭＧを生成するための処理を行う。また、表示制御部１３Ｄは、前述のマーカＭＧを内視鏡画像ＥＧに付加することにより表示画像を生成し、当該生成した表示画像を表示装置１４へ出力するための処理を行う。そして、このような表示制御部１３Ｄの処理によれば、図４に例示した表示画像ＤＧＡと同様の表示画像が表示装置１４に表示される。【０１８４】
以上に述べたように、本実施形態によれば、第１の実施形態において述べた方法（テーブルデータＴＤＡを用いた方法）と略同様の方法を用い、病変抽出機能部１３Ｃに含まれる複数の病変抽出部の中から一の病変抽出部を選択することができる。さらに、本実施形態によれば、前述のように選択された一の病変抽出部における病変抽出処理を、内視鏡検査を受ける被検者の診断対象の臓器のうちの観察対象部位における病変の発生頻度に応じて設定された感度で行うことができる。そのため、本実施形態によれば、診断対象の臓器における病変の抽出精度を確保することができる。また、本実施形態によれば、例えば、内視鏡検査を受ける被検者の診断対象の臓器のうち、所定の病変の発生頻度が相対的に高い部位が観察されている場合における病変候補領域の抽出を確実に行うことができるとともに、当該所定の病変の発生頻度が相対的に低い部位が観察されている場合における病変候補領域の抽出を抑制することができる。【０１８５】
なお、本実施形態の異常症状特定部３３Ａは、例えば、本体装置１２から出力される内視鏡画像ＥＧに対して第２の実施形態において述べた処理と同様の処理を適用することにより、内視鏡検査を受ける被検者の胃において現れている異常症状が潰瘍または萎縮性胃炎のいずれかであることを特定するようにしてもよい。また、本実施形態の異常症状特定部３３Ａは、例えば、本体装置１２から出力される内視鏡画像ＥＧに対して日本国特許第５２４２３８１号公報に開示された処理等を適用することにより、内視鏡検査を受ける被検者の胃において現れている異常症状がびまん性胃がんであることを特定するようにしてもよい。【０１８６】
本発明は、上述した実施形態に限定されるものではなく、発明の趣旨を逸脱しない範囲内において種々の変更や応用が可能であることは勿論である。
【図１】
2020188682.tif 000003
【図２】
2020188682.tif 000004
【図３】
2020188682.tif 000005
【図４】
2020188682.tif 000006
【図５】
2020188682.tif 000007
【図６】
2020188682.tif 000008
【図７】
2020188682.tif 000009
【図８】
2020188682.tif 000010
【図９】
2020188682.tif 000011
【図１０】
2020188682.tif 000012
【国際調査報告】
2020188682.tif 000013
2020188682.tif 000014
2020188682.tif 000015
2020188682.tif 000016